(57)【特許請求の範囲】
【請求項１】
携帯端末機器に装着される電子装置において、
前記携帯端末機器に接続するためのコンタクト部と、
前記コンタクト部を介して前記携帯端末機器との接触通信を行う接触通信部と、
前記コンタクト部を介して接続される前記携帯端末機器に実装されているアンテナを用いて非接触通信を行う非接触通信部と、
種々の携帯端末機器に実装されるアンテナにおけるアンテナ特性を示すデータを記憶している記憶手段と、
前記コンタクト部を介して接続される前記携帯端末機器に実装されているアンテナ特性を示すデータを測定する測定手段と、
前記測定手段により測定したデータに対応するアンテナ特性を前記記憶手段に記憶している情報から判断する判断手段と、
前記判断手段により判断したアンテナ特性を前記非接触通信部に対して設定する設定手段と、
を有することを特徴とする携帯端末機器に装着される電子装置。
【請求項２】
前記測定手段は、前記アンテナに対してテスト信号を供給することにより当該アンテナ特性を示すデータを測定する、
ことを特徴とする前記請求項１に記載の携帯端末機器に装着される電子装置。
【請求項３】
前記測定手段は、前記アンテナの等価回路の値を測定し、
前記記憶手段には、種々の携帯端末機器に実装されるアンテナ特性に対応するアンテナの等価回路の値を記憶し、
前記判断手段は、前記測定手段により測定した前記アンテナの等価回路の値と前記記憶手段に記憶しているアンテナの等価回路の値とを比較することによりアンテナ特性を判断する、
ことを特徴とする前記請求項２に記載の携帯端末機器に装着される電子装置。
【請求項４】
携帯端末機器に装着される電子装置において、
携帯端末機器に接続するためのコンタクト部と、
前記コンタクト部を介して前記携帯端末機器との接触通信を行う接触通信部と、
前記コンタクト部を介して接続される前記携帯端末機器に実装されているアンテナを用いて非接触通信を行う非接触通信部と、
種々の携帯端末機器の機器情報に対応するアンテナ特性を記憶している記憶手段と、
前記コンタクト部を介して前記接触通信部が前記携帯端末機器から機器情報を受信した場合、前記携帯端末機器から受信した機器情報に対応するアンテナ特性を前記記憶手段に記憶している情報から判断する判断手段と、
前記判断手段により判断したアンテナ特性を前記非接触通信部に対して設定する設定手段と、
を有することを特徴とする携帯端末機器に装着される電子装置。
【請求項５】
さらに、新たな携帯端末機器の機器情報に対応するアンテナ特性を示すデータを前記接触通信部により携帯端末機器から受信して前記記憶手段に記憶するダウンロード手段と、を有する、
ことを特徴とする前記請求項４に記載の携帯端末機器に装着される電子装置。
【請求項６】
携帯端末機器に装着された状態において当該携帯端末機器に接続するコンタクト部と、前記コンタクト部を介して前記携帯端末機器との接触通信を行う接触通信部と、前記コンタクト部を介して接続される前記携帯端末機器に実装されているアンテナを用いて非接触通信を行う非接触通信部とを有する電子装置の制御方法であって、
種々の携帯端末機器に実装されるアンテナにおけるアンテナ特性を示すデータを記憶手段に記憶しておき、
前記コンタクト部を介して接続される前記携帯端末機器に実装されているアンテナ特性を示すデータを測定し、
この測定したデータに対応するアンテナ特性を前記記憶手段に記憶している情報から判断し、
この判断したアンテナ特性を前記非接触通信部に対して設定する、
ことを特徴とする携帯端末機器に装着される電子装置の制御方法。
【請求項７】
携帯端末機器に装着された状態において当該携帯端末機器に接続するコンタクト部と、前記コンタクト部を介して前記携帯端末機器との接触通信を行う接触通信部と、前記コンタクト部を介して接続される前記携帯端末機器に実装されているアンテナを用いて非接触通信を行う非接触通信部とを有する電子装置の制御方法であって、
種々の携帯端末機器の機器情報に対応するアンテナ特性を記憶手段に記憶しておき、
前記コンタクト部を介して前記接触通信部が前記携帯端末機器から機器情報を受信した場合、前記携帯端末機器から受信した機器情報に対応するアンテナ特性を前記記憶手段に記憶している情報から判断し、
この判断したアンテナ特性を前記非接触通信部に対して設定する、
ことを特徴とする携帯端末機器に装着される電子装置の制御方法。
【発明の詳細な説明】
【技術分野】
【０００１】
この発明は、携帯端末機器に装着された状態において外部装置との非接触通信を行う機能を有する携帯端末機器に装着される電子装置および電子装置の制御方法に関する。
【背景技術】
【０００２】
近年、クレジットカードを持ち歩く習慣が定着してきており、一般の多くの利用者がクレジットカード形状のカードにより入退室管理や金融決済等を行っている。また、一方では、携帯電話機等の携帯端末機器の普及率が上がり、ひとり１台の時代に入ってきている。このような状況によって、携帯電話機などの携帯端末機器で入退室管理や金融決済等を非接触通信で行いたいとのニーズが出てきている。言い換えると、携帯端末機器においてローカル無線インターフェースとして非接触ＩＣカードのインターフェースを実装する要求が出てきている。このような要求に対しては、既存の非接触ＩＣカードを携帯端末機器に直に実装する方法も考えれれるが、携帯端末機器の機種交換や他の携帯端末機器への展開を考えると、リムーバブルの構成が適していると考えられる。そこで、近年では、携帯端末機器に非接触通信用のアンテナを実装し、非接触通信機能を持った電子装置、たとえば、非接触ＩＣカードやコンビカードのチップ部分、ＰＣカード、あるいは、各種メモリデバイス、を携帯端末機器に挿入（装着）することにより、携帯端末機器に装着された状態で電子装置が非接触通信による種々の機能を実現する技術が提案されている。
【０００３】
例えば、現在、非接触通信用のインターフェース技術として考えられているのは、ＩＳＯ／ＩＥＣ１４４４３で規定されている通信プロトコルや一部の日本独自仕様で運用されているシステムに応じた通信プロトコルなどが考えられる。さらに、海外の携帯端末機器での使用（海外展開）を考えた場合、さらに、サポートしなければいけない通信プロトコルが増える。このような状況においては、携帯端末機器に非接触通信用のアンテナのみを実装して非接触通信機能をチップ等の他のデバイスに分割することにより、種々の携帯端末機器に実装されたアンテナ特性が異なること、各チップ側の特性が異なることによる通信特性のばらつきが発生する可能性がある。このような場合、一般には、携帯端末機器と電子装置（チップデバイス）とのクロステストを行い、どの組み合わせでもサービスに必要なパフォーマンスを確保する必要がある。
【０００４】
しかしながら、非接触機能チップが複数の非接触通信用の通信プロトコルをサポートする場合、従来は、リーダライタ側とのコマンドの送受信によって使用する通信プロトコルと判断し、その判断した通信プロトコルに応じた通信設定を行うようになっている。この為、通信プロトコルの判断とその判断に基づく通信設定に時間がかかってしまう。この結果、高速な応答が必要な用途で非接触通信を行う場合であっても、所望の通信プロトコルによる通信開始までに時間がかかってしまうという問題点がある。また、通信を開始するごとに、通信プロトコルの判断とその判断に基づく通信設定を行う必要となるため、複数の通信プロトコルに対する処理効率が悪いという問題点もある。
【０００５】
さらに、携帯端末機器に実装されている非接触通信用のアンテナを用いて非接触機能チップの制御にて非接触通信を行う場合、非接触通信のアンテナと非接触機能チップとのお互いの特性がマッチングせずに、通信特性が悪くなるという問題点がある。
【先行技術文献】
【非特許文献】
【０００６】
【非特許文献１】ＩＳＯ／ＩＥＣ  １４４４３（国際標準規格）
【発明の概要】
【発明が解決しようとする課題】
【０００７】
この発明は、上記のような問題点を解決するものであり、携帯端末機器の仕様や用途に応じて非接触通信の通信設定を最適な設定にすることにより、高速な通信処理、通信効率の向上、及び、通信特性の最適化などを実現することができる携帯端末機器に装着される電子装置および電子装置の制御方法を提供することを目的とする。
【課題を解決するための手段】
【０００８】
この発明の一形態としての携帯端末機器に装着される電子装置は、前記携帯端末機器に接続するためのコンタクト部と、前記コンタクト部を介して前記携帯端末機器との接触通信を行う接触通信部と、前記コンタクト部を介して接続される前記携帯端末機器に実装されているアンテナを用いて非接触通信を行う非接触通信部と、種々の携帯端末機器に実装されるアンテナにおけるアンテナ特性を示すデータを記憶している記憶手段と、前記コンタクト部を介して接続される前記携帯端末機器に実装されているアンテナ特性を示すデータを測定する測定手段と、前記測定手段により測定したデータに対応するアンテナ特性を前記記憶手段に記憶している情報から判断する判断手段と、前記判断手段により判断したアンテナ特性を前記非接触通信部に対して設定する設定手段とを有する。
【０００９】
この発明の一形態としての携帯端末機器に装着される電子装置は、携帯端末機器に接続するためのコンタクト部と、前記コンタクト部を介して前記携帯端末機器との接触通信を行う接触通信部と、前記コンタクト部を介して接続される前記携帯端末機器に実装されているアンテナを用いて非接触通信を行う非接触通信部と、種々の携帯端末機器の機器情報に対応するアンテナ特性を記憶している記憶手段と、前記コンタクト部を介して前記接触通信部が前記携帯端末機器から機器情報を受信した場合、前記携帯端末機器から受信した機器情報に対応するアンテナ特性を前記記憶手段に記憶している情報から判断する判断手段と、前記判断手段により判断したアンテナ特性を前記非接触通信部に対して設定する設定手段とを有する。
【００１０】
この発明の一形態としての電子装置の制御方法は、携帯端末機器に装着された状態において当該携帯端末機器に接続するコンタクト部と、前記コンタクト部を介して前記携帯端末機器との接触通信を行う接触通信部と、前記コンタクト部を介して接続される前記携帯端末機器に実装されているアンテナを用いて非接触通信を行う非接触通信部とを有する電子装置の制御方法であって、種々の携帯端末機器に実装されるアンテナにおけるアンテナ特性を示すデータを記憶手段に記憶しておき、前記コンタクト部を介して接続される前記携帯端末機器に実装されているアンテナ特性を示すデータを測定し、この測定したデータに対応するアンテナ特性を前記記憶手段に記憶している情報から判断し、この判断したアンテナ特性を前記非接触通信部に対して設定する。
【００１１】
この発明の一形態としての電子装置の制御方法は、携帯端末機器に装着された状態において当該携帯端末機器に接続するコンタクト部と、前記コンタクト部を介して前記携帯端末機器との接触通信を行う接触通信部と、前記コンタクト部を介して接続される前記携帯端末機器に実装されているアンテナを用いて非接触通信を行う非接触通信部とを有する電子装置の制御方法であって、種々の携帯端末機器の機器情報に対応するアンテナ特性を記憶手段に記憶しておき、前記コンタクト部を介して前記接触通信部が前記携帯端末機器から機器情報を受信した場合、前記携帯端末機器から受信した機器情報に対応するアンテナ特性を前記記憶手段に記憶している情報から判断し、この判断したアンテナ特性を前記非接触通信部に対して設定する。
【発明の効果】
【００１２】
この発明は、携帯端末機器の仕様や用途に応じて非接触通信の通信設定を最適な設定にすることにより、高速な通信処理、通信効率の向上、及び、通信特性の最適化などを実現する携帯端末機器に装着される電子装置および電子装置の制御方法を提供できる。
【図面の簡単な説明】
【００１３】
【図１】本発明の実施の形態に係る非接触機能チップが装着される携帯電話機と非接触機能チップを用いた通信システムを概略的に説明するための図。
【図２】非接触機能チップの内部構成例を概略的に示すブロック図。
【図３】通信プロトコル設定を実現するための非接触機能チップの構成例を説明するための図。
【図４】非接触機能チップにおける通信プロトコル設定の手順を説明するためのフローチャート。
【図５】アンテナ特性の測定に基づくアンテナ特性設定を実現するための非接触機能チップの構成例を説明するための図。
【図６】非接触機能チップにおけるアンテナ特性の測定に基づくアンテナ特性設定の手順を説明するためのフローチャート。
【図７】携帯電話機の機器情報に基づくアンテナ特性設定を実現するための非接触機能チップの構成例を説明するための図。
【図８】非接触機能チップにおける携帯電話機の機器情報に基づくアンテナ特性設定の手順を説明するためのフローチャート。
【発明を実施するための形態】
【００１４】
この発明を実施するための最良の形態について図面を参照して詳細に説明する。  
図１は、本発明の実施の形態に係る電子装置としての非接触機能チップＣが装着される携帯端末機器としての携帯電話機Ｐの構成を説明するための図である。
【００１５】
図１に示す携帯電話機Ｐは、通常の携帯電話機の機能としての携帯電話機能および電子データの送受信機能の他に、後述する非接触機能チップ（電子装置）Ｃによる外部装置としてのリーダライタＲＷとの非接触通信（無線通信）を実現する機能を有している。上記携帯電話機Ｐは、非接触機能チップＣによる非接触通信を実現する手段として、図１に示すように、制御回路１１、非接触通信用アンテナ１２、非接触機能チップ用ソケット（単にソケットとも称する）１３などを有している。
【００１６】
上記制御回路１１は、上記携帯電話機Ｐ全体の制御を司るものである。上記制御回路１１は、ＣＰＵ、メモリ、各種の内部インターフェースなどにより構成される。上記制御回路１１は、携帯電話機としての基本的な動作機能の他に、主な機能として、当該携帯電話機Ｐの機器情報を保持する機能や上記非接触機能チップ用ソケット１３に装着された非接触機能チップＣとの通信機能を有している。また、上記制御回路１１は、上記非接触機能チップＣとの通信機能によって、上記非接触機能チップＣとの機器認証、上記非接触機能チップＣへの当該携帯電話機Ｐの機器情報の供給などを行うようになっている。
【００１７】
上記非接触機能チップ用ソケット１３は、上記制御回路１１と上記アンテナ１２とに接続され、上記非接触機能チップＣが装着される構造を有している。上記非接触機能チップ用ソケット１３は、上記非接触機能チップＣと上記制御回路１１とを接続するとともに、上記非接触機能チップＣと上記アンテナ１２とを接続する機能を有している。
【００１８】
上記アンテナ１２は、上記非接触機能チップＣによるリーダライタＲＷとの非接触通信用の電波を送受信するものである。すなわち、上記非接触機能チップＣは、上記非接触機能チップ用ソケット１３を介して上記アンテナ１２と接続されることにより上記リーダライタＲＷとの非接触通信（無線通信）を実現するようになっている。なお、上記リーダライタＲＷは、非接触機能チップＣとの無線通信を行う外部装置である。
【００１９】
次に、上記のような携帯端末機器としての携帯電話機Ｐに装着される電子装置としての非接触機能チップＣの構成について説明する。  
上記非接触機能チップＣは、上記のような携帯端末機器としての携帯電話機Ｐに着脱可能な構成を有している。例えば、上記非接触機能チップＣは、非接触式ＩＣカードあるいはコンビカードのチップ部分、ＵＳＩＭあるいはＳＩＭなどのＩＣカード、ＰＣカード、もしくは、各種のメモリデバイスとして実現される。また、上記非接触機能チップＣは、例えば、基本仕様として、ＩＳＯ／ＩＥＣ１４４４３仕様、ＩＳＯ／ＩＥＣ７８１６仕様などを満たすものである。
【００２０】
図２は、上記携帯電話機Ｐに装着される非接触機能チップＣの構成例を示すブロック図である。図２に示すように、非接触機能チップＣは、ＣＰＵ２１、メモリ２２、チップ制御回路２３、接触通信部２４、非接触通信部２５、及びコンタクト部２６などを有している。上記ＣＰＵ２１は、上記メモリ２２に記録されているプログラムに基づく種々の処理を行うものである。上記メモリ２２は、ＲＯＭ、ＲＡＭ、書き換え可能な不揮発性メモリ（例えば、ＥＥＰＯＭやフラッシュＲＯＭ等）により構成される。また、上記メモリ２２には、機器情報テーブル２２ａおよびアンテナ特性テーブル２２ｂが設けられている。上記テーブル２２ａ、２２ｂは、例えば、書き換え可能な不揮発性メモリ内に設けられる。
【００２１】
上記チップ制御回路２３は、上記ＣＰＵ２１の処理に応じて当該非接触機能チップＣの動作を制御する回路である。上記接触通信部２４は、上記携帯電話機Ｐとの接触式の通信を行うユニットである。上記接触通信部２４は、上記コンタクト部２６及び上記携帯電話機Ｐのソケット１３を介して上記携帯電話機Ｐの制御回路１１に接続されるように構成されている。上記非接触通信部２５は、非接触式の通信（無線通信）を行うユニットである。上記非接触通信部２５は、上記コンタクト部２６及び上記携帯電話機Ｐのソケット１３を介して上記携帯電話機Ｐのアンテナ１２と接続されるように構成されている。
【００２２】
次に、上記非接触機能チップＣによる非接触通信について概略的に説明する。  
まず、上記非接触機能チップＣが上記携帯電話機Ｐのソケット１３に装着されると、上記非接触機能チップＣの接触通信部２４と携帯電話機Ｐの制御回路１１とは、非接触機能チップのコンタクト部２６と携帯電話機Ｐのソケット１３を介して物理的に接続される。すると、上記携帯電話機Ｐの制御回路１１は、上記非接触機能チップＣに対して当該携帯電話機Ｐの機器情報を送信する。また、上記非接触機能チップＣのＣＰＵ２１が上記接触通信部２４により上記携帯電話機Ｐに対して機器情報を要求（リクエスト）し、その応答として携帯電話機Ｐから機器情報を受信するようにしても良い。
【００２３】
上記携帯電話機Ｐから機器情報を受信すると、上記非接触機能チップＣでは、上記携帯電話機Ｐからの機器情報等に基づいて非接触通信に用いる通信プロトコルの設定処理及びアンテナ特性設定処理を行う。上記通信プロトコル設定処理及びアンテナ特性設定処理が完了すると、上記携帯電話機Ｐに装着された上記非接触機能チップＣの非接触通信部２５は、上記携帯電話機Ｐのアンテナ１２を用いた上記リーダライタＲＷなどの外部機器との非接触通信が可能な状態となる。
【００２４】
以下、上記非接触機能チップＣにおける非接触通信の通信設定として、携帯電話機の機器情報に基づく通信プロトコル設定、アンテナ特性の測定に基づくアンテナ特性設定、および、携帯電話機の機器情報に基づくアンテナ特性設定について説明する。
【００２５】
まず、上記非接触機能チップＣにおける非接触通信の通信プロトコル設定について説明する。  
図３は、上記非接触機能チップＣにおける非接触通信の通信プロトコル設定を実現するための構成例を概略的に示す図である。  
図３に示すように、上記非接触機能チップＣにおける非接触通信の通信プロトコル設定は、機器情報３１、機器情報テーブル２２ａ、通信プロトコル判断部（通信プロトコル判断機能）３２、通信プロトコル設定部（通信プロトコル設定機能）３３、通信プロトコル設定データ部３４、および通信制御回路３５などにより実現される。
【００２６】
上記機器情報３１は、携帯電話機Ｐから得られる情報であり、当該非接触機能チップＣを携帯電話機Ｐに装着した際に当該携帯電話機Ｐが供給され、上記メモリ２２に記録される。上記機器情報としては、例えば、図３に示すように、当該携帯電話機の仕様情報と、ローカルインフォメーション、ユーザサービス情報などがある。携帯電話機の仕様情報としては、例えば、メーカ名、型番、機能、性能などの情報がある。また、ローカルインフォメーションとしては、例えば、国名、地域、サービスリストなどの情報がある。また、ユーザサービス情報としては、例えば、使用可能サービスの証明書（電子証明書）などの情報がある。
【００２７】
上記機器情報テーブル２２ａは、上記メモリ２２に予め設けられているものであり、機器情報に応じた設定内容を示す情報が記憶されている。例えば、上記機器情報テーブル２２ａには、機器情報に応じた非接触通信の通信設定として、必要となる通信プロトコル（当該非接触機能チップの非接触通信機能としてサポートする必要がある通信プロトコル）や優先的に設定すべき非接触通信の通信プロトコルなどを示す情報が記憶されている。また、上記機器情報テーブル２２ａは、上述したように書き換え可能な不揮発性メモリに設けられている。上記機器情報テーブル２２ａは、例えば、運用時におけるサービス内容の変更や非接触通信の相手となる外部装置を含むシステムの仕様変更などに応じて書き換えが可能なようになっている。
【００２８】
上記通信プロトコル判断部３２は、上記機器情報３１と機器情報テーブル２２ａに記憶されている情報とに基づいて、当該非接触機能チップＣが非接触通信として優先して実施すべき通信プロトコルを判断するものである。上記通信プロトコル判断部３２は、上記ＣＰＵ２１あるいは上記チップ制御回路２３により実現される機能である。
【００２９】
上記通信プロトコル設定部３３は、上記通信プロトコル判断部３２による判断に基づいて非接触通信の通信プロトコルを設定するものである。上記通信プロトコル設定部３３では、最優先に実施すべき通信プロトコルの設定、各通信プロトコルの優先順位の設定、あるいは必要な通信プロトコルの設定（必要となりうる通信プロトコルのみを活性化させる設定）などを行う。上記通信プロトコル設定部３３は、上記非接触通信部２５あるいは上記チップ制御回路２３により実現される機能である。
【００３０】
上記通信プロトコル設定データ部３４は、上記通信プロトコル設定部３３によって設定される種々の通信プロトコルの設定データが記憶されるものである。上記通信プロトコル設定データ部３４は、複数の通信プロトコル設定データ３４ａ、３４ｂ、３４ｃ、３４ｄ、…を有している。各通信プロトコル設定データ３４ａ、３４ｂ、３４ｃ、３４ｄ、…は、それぞれ当該非接触機能チップＣが実現（サポート）する非接触通信の種々の通信プロトコルに対応してインストールされる。各通信プロトコル設定データ部３４は、上記メモリ２２、上記非接触通信部２５の内部メモリ（図示しない）あるいは上記チップ制御回路２３の内部メモリ（図示しない）などにより実現される。
【００３１】
また、各通信プロトコル設定データ部３４には、既存の通信プロトコルの設定データが予めインストールされる領域と、新たにダウンロードされる通信プロトコルの設定データがインストールされる領域とがある。
【００３２】
図３に示す例では、上記通信プロトコル設定データ３４ａ、３４ｂ、３４ｃがそれぞれ予めインストールされている既存の通信プロトコルの設定データである。例えば、図４では、通信プロトコル設定データ３４ａがＩＳＯ／ＩＥＣ１４４４３タイプＡ（以下、単にタイプＡと記す）の設定データであり、通信プロトコル設定データ３４ｂがＩＳＯ／ＩＥＣ１４４４３タイプＢ（以下単にタイプＢと記す）の設定データであり、通信プロトコル設定データ３４ｃが日本独自仕様１の設定データとなっている。
【００３３】
また、図３では、通信プロトコル設定データ３４ｄに新たに追加される通信プロトコルの設定データを保存するようになっている。この場合、新たな通信プロトコルの設定データがダウンロードされると、その通信プロトコルの設定データは上記通信プロトコル設定データ３４ｄとして記憶される。また、新たな通信プロトコルの設定データは、携帯電話機Ｐが外部から取得し、そのデータを非接触機能チップＣにダウンロードするようにすればよい。
【００３４】
上記通信制御回路３５は、ＲＦ回路４１、および通信プロトコル制御回路４２などを有している。上記通信制御回路３５では、非接触通信を制御する回路であり、上記コネクタ部を介して接続される携帯電話機Ｐ内のアンテナ１２を介して電波の送受信を行うものである。また、上記通信制御回路３５では、上記通信プロトコル設定部３３が設定する通信プロトコルの設定データに応じて種々の回路設定を行う。
【００３５】
すなわち、上記通信プロトコル設定部３３により通信プロトコルの設定データが供給されると、上記通信制御回路３５では、その通信プロトコルの設定データに応じて、フィルタの定数、ロジック回路のクロック、分周比などの設定を行う。例えば、上記ＲＦ回路４１では、主に、通信プロトコルに応じたトランジスタのゲートへの設定などを行うようになっている。また、上記通信プロトコル制御回路４２では、主に、通信プロトコルに応じたロジック回路の設定などを行うようになっている。
【００３６】
次に、上記非接触機能チップＣにおける非接触通信に用いる最優先の通信プロトコルの判断について説明する。  
上述したように、上記通信制御回路３５への非接触通信の通信プロトコル設定は、上記通信プロトコル判断部３２による判断に基づいて上記通信プロトコル設定部３３によって行われる。ここでは、上記通信プロトコル設定部３３が最優先の通信プロトコル（最優先プロトコル）を判断し、その最優先プロトコルを上記通信プロトコル設定部３３が通信制御回路３５に設定する場合について説明する。
【００３７】
上記通信プロトコル判断部３２は、携帯電話機Ｐから得られる機器情報と機器情報テーブル２２ａに記録されている情報とに基づいて最優先プロトコルを判断するようになっている。従って、上記機器情報テーブル２２ａには、機器情報に対する種々の条件に基づいて最優先プロトコルが判断できるような情報が記録される。例えば、複数の国での使用が想定される場合、上記機器情報テーブル２２ａには、国ごとの最優先プロトコルが記録される。また、携帯電話機Ｐの機能やサービス内容に応じて異なる通信プロトコルが用いられる場合、上記機器情報テーブル２２ａには、携帯電話機Ｐの機能やサービス内容に対応して最優先プロトコルが記録される。
【００３８】
ここで、図３に示すように、タイプＡ、タイプＢ、日本独自仕様１が設定データとして保持している場合、つまり、非接触機能チップＣが非接触通信の通信プロトコルとしてタイプＡ、タイプＢ、日本独自仕様１をサポートしている場合を想定し、最優先プロトコルの判断例について説明する。
【００３９】
例えば、上記非接触機能チップＣあるいは携帯電話機Ｐが複数の国で使用可能な場合、最優先プロトコルは、携帯電話機から得られる機器情報における国名に基づいて判断するようにしても良い。例えば、ヨーロッパではタイプＡが標準で、日本では日本独自仕様１が標準である場合、上記機器情報テーブル２２ａには、ヨーロッパの最優先プロトコルをタイプＡとし、日本の最優先プロトコルを日本独自仕様１として記録される。この場合、上記通信プロトコル判断部３２は、携帯電話機の機器情報において国名が日本であれば日本独自仕様１を最優先プロトコルと判断し、ヨーロッパであればタイプＡを最優先プロトコルと判断する。
【００４０】
この結果、非接触機能チップＣは、機器情報の国名が日本の携帯電話機に装着された場合には非接触通信の通信プロトコルを日本独自仕様１に優先的に設定でき、機器情報の国名がヨーロッパの携帯電話機に装着された場合には非接触通信の通信プロトコルをタイプＡに優先的に設定できる。
【００４１】
また、異なる通信プロトコルによる非接触通信にて種々のサービスが提供されている場合、サービス内容によって最優先プロトコルを判断するようにしても良い。例えば、タイプＡの通信プロトコルによる非接触通信にて第１のサービスが提供され、日本独自仕様１の通信プロトコルによる非接触通信にて第２のサービスが提供される場合、上記機器情報テーブル２２ａには、第１のサービス内容と第２のサービス内容とを比較した場合に高速な応答（通信）が必要な方の通信プロトコルを最優先プロトコルして記録される。この場合、上記通信プロトコル判断部３２は、携帯電話機の機器情報におけるサービス内容に応じて最優先プロトコルと判断する。
【００４２】
この結果、非接触機能チップＣは、複数のサービスが提供されている場合には各サービス内容に応じて優先的に実行すべき非接触通信の通信プロトコルを設定でき、異なる通信プロトコルによる複数のサービスが提供されている場合であっても、効率的な通信プロトコルの設定を行うことができ、サービスの効率的な運用が可能となる。
【００４３】
具体例として、携帯電話機に装着された非接触機能チップが、入退出管理装置や自動改札機などの通行制御装置による通行制御処理のサービス（通行制御機能）と、物品代金やサービス代金の決済など料金決済処理のサービス（クレジットカード機能）とが提供されているものとする。一般に、上記通行制御機能としての自動改札機等での通行制御は高速（瞬時）に通行判定などの処理を行う必要がある。これに対して、クレジットカード機能としての料金決済は通行制御に比べて処理に時間をとることが可能である。このような場合、クレジットカード機能として用いる通信プロトコルよりも通行制御機能に用いる通信プロトコルを優先的に実行することにより、効率的な非接触通信が実現可能となる。
【００４４】
このような場合、例えば、上記機器情報テーブル２２ａには、通行制御機能に用いられる非接触通信の通信プロトコルを最優先プロトコルとして記録しておく。この機器情報テーブル２２ａにより、上記通信プロトコル判断部３２が通行制御機能に用いる通信プロトコルを最優先プロトコルと判断し、さらに、上記通信プロトコル判断部３２の判断に基づいて上記通信プロトコル設定部３３が通行制御機能に用いる通信プロトコルの設定データにて通信制御回路３５を設定する。これにより、当該非接触機能チップＣは通行制御機能に用いる通信プロトコルが最も早く処理されるように通信制御回路３５を設定することができ、非接触通信を効率良く実行することができる。
【００４５】
次に、上記非接触機能チップＣにおける非接触通信の通信プロトコル設定処理の手順について説明する。  
図４は、上記非接触機能チップＣにおける非接触通信の通信プロトコル設定処理を説明するためのフローチャートである。  
まず、上記非接触機能チップＣが上記携帯電話機Ｐのソケット１３に装着されると、上記非接触機能チップＣと携帯電話機Ｐとは、非接触機能チップＣのコンタクト部２６と携帯電話機Ｐのソケット１３とを介して物理的に接続され、接触通信が可能な状態となる。この状態において、上記非接触機能チップＣのＣＰＵ２１と上記携帯電話機Ｐの制御回路１１とは、相互に認証処理（機器認証処理）を行う（ステップＳ１１）。
【００４６】
この機器認証処理は、非接触機能チップＣと携帯電話機Ｐとがお互いに信頼関係を結ぶための処理である。すなわち、機器認証処理において、非接触機能チップＣ側では携帯電話機Ｐが信頼できる機器（当該非接触機能チップが対応している仕様の携帯電話機）であるかを確認し、携帯電話機Ｐ側ではソケット１３に装着された非接触機能チップＣが信頼できる機器（当該携帯電話機が対応している仕様の非接触機能チップ）であるかを確認する処理である。
【００４７】
上記機器認証処理により互いの機器認証が完了すると、上記携帯電話機Ｐの制御回路１１は、図示しないメモリに記憶している当該携帯電話機Ｐの機器情報３１を読み出し、上記ソケット１３に装着された非接触機能チップＣへ接触通信にて送信する。これに対して、上記非接触機能チップＣでは、上記接触通信部２４により上記携帯電話機Ｐからの機器情報３１を受信する（ステップＳ１２）。
【００４８】
なお、上記携帯電話機Ｐの機器情報３１は、上記非接触機能チップＣから携帯電話機Ｐへ要求するようにしても良い。この場合、上記非接触機能チップＣのＣＰＵ２１が上記接触通信部２４により携帯電話機Ｐの制御回路１１に要求し、その要求に応じて上記携帯電話機Ｐの制御回路１１が機器情報３１を転送する。
【００４９】
上記接触通信部２４により上記携帯電話機Ｐから機器情報３１を受信すると、上記非接触機能チップＣのＣＰＵ２１は、受信した機器情報３１をメモリ２２に記憶する（ステップＳ１３）。上記メモリ２２に携帯電話機Ｐの機器情報３１を記憶すると、上記非接触機能チップＣの通信プロトコル判断部３２としてのＣＰＵ２１は、上記機器情報テーブル２２ａに記憶されている情報と上記機器情報３１とを比較し（ステップＳ１４）、必要となるサポートすべき非接触通信の通信プロトコルを判断する（ステップＳ１５）。
【００５０】
さらに、上記非接触機能チップＣの通信プロトコル判断部３２としてのＣＰＵ２１は、上記機器情報テーブル２２ａに記憶されている情報と上記機器情報３１とを比較することにより（ステップＳ１４）、上記優先して実行すべき非接触通信の通信プロトコル（最優先通信プロトコル）を判断する（ステップＳ１６）。
【００５１】
これらの判断結果は、上記通信プロトコル判断部３２から通信プロトコル設定部３３に通知される。上記通信プロトコル判断部３２による判断結果を受けると、上記通信プロトコル設定部３３は、上記通信プロトコル設定データ部３４の各通信プロトコル設定データを用いて上記通信プロトコル判断部３２による判断結果に基づいて非接触通信の通信設定を行う。この通信設定において、上記通信プロトコル設定部３３は、サポートすべき通信プロトコルを有効とするとともに（不要な通信プロトコルを活性化させない）、最優先通信プロトコルを優先的に実行するように通信制御回路３５の回路設定を行う。
【００５２】
上記最優先通信プロトコルの設定において、上記通信プロトコル設定部３３は、上記通信プロトコル判断部３２の判断に基づき、上記通信プロトコル設定データ部３４から最優先通信プロトコルの設定データを選択する。最優先通信プロトコルの設定データを選択すると、上記通信プロトコル設定部３３は、選択した最優先通信プロトコルの設定データを上記通信制御回路３５へ供給する。これにより、上記通信制御回路３５は、最優先通信プロトコルの設定データに基づいて種々の回路設定を行う（ステップＳ１７）。
【００５３】
なお、上記処理例では、携帯電話機の機器情報に基づいて最優先通信プロトコルを判断し、最優先通信プロトコルの設定データにより非接触通信用の通信制御回路を設定する場合について説明したが、携帯電話機の機器情報に基づいて各通信プロトコルの優先順位を判断し、その優先順位に基づいて非接触通信用の通信プロトコルを設定するようにしても良い。この場合、複数の通信プロトコルをサボートしている場合であっても種々の通信プロトコルを効率的に適用することができ、種々の通信プロトコルによる非接触通信を効率的に行うことができる。
【００５４】
上記のように、上記非接触機能チップは、携帯電話機への装着時に、携帯電話機から機器情報を取得し、携帯電話機から取得した機器情報に基づいて優先的に実行すべき非接触通信の通信プロトコルを判断し、非接触通信用の通信制御回路を最優先通信プロトコルの設定データにより設定するようにしたものである。
【００５５】
これにより、上記非接触機能チップＣは、上記携帯電話機Ｐのアンテナ１２を用いて外部機器との非接触通信を行う場合、最優先通信プロトコルによる非接触通信を優先に行うことができ、最優先通信プロトコルによる非接触通信を高速化することができ、この結果、種々の通信プロトコルを有する非接触機能チップＣによる非接触通信を効率化することができる。
【００５６】
また、上記非接触機能チップが携帯電話機の機器情報（携帯電話機のメーカ、型番、機能、性能等の仕様情報、国、地域等のローカルインフォメーション、ユーザの受けられるサービス情報など）に基づいてサポートする必要のある通信プロトコルと使用しない通信プロトコルとを判断し、使用可能な通信プロトコルを優先順位に基づいて設定するようにしたものである。
【００５７】
これにより、非接触機能チップが装着された携帯電話機の仕様や提供されるサービスの内容など応じて使用可能な通信プロトコルを制限することができ、非接触機能チップや非接触機能チップを含むシステムの効率的な運用が可能となる。また、特定のサービスのアクセス権（サービスを利用する権利）が無い場合には不要な通信プロトコルをサポートしないようにすることができる。また、海外での使用を可能とするためサポートしなければいけない通信プロトコルが多い場合であっても、効率的に非接触通信の通信プロトコルを設定できる。
【００５８】
さらに、上記非接触機能チップに非接触通信用の新たな通信プロトコルを追加する場合、上記非接触チップは携帯電話機から新たな通信プロトコルの設定データをダウンロードして、その新たな通信プロトコルの設定データを追加するようにしたものである。これにより、将来的に、新たな通信プロトコルをサポートすることができ、新たな通信プロトコルを用いた新たなサービスも提供することが可能である。また、海外での使用等によりサポートしなければいけない通信プロトコルが追加された場合にも容易に対応できる。
【００５９】
さらに、非接触機能チップＣにおいて非接触通信の通信プロトコルを判断する際に携帯電話機の機器情報と比較される機器情報テーブルは書き換え可能な不揮発性メモリに設けられるようにしたものである。これにより、携帯電話機の仕様の変更や提供されるサービス内容の変更などに応じてサポートする必要がある通信プロトコルや各通信プロトコルの優先順位の判断基準を容易に変更することが可能である。
【００６０】
次に、上記非接触機能チップＣにおける非接触通信のアンテナ特性設定について説明する。  
図１に示すな非接触機能チップＣによる非接触通信用のアンテナ１２を具備する携帯電話機Ｐには様々な仕様のものが想定される。このため、上記非接触機能チップＣが装着される携帯電話機Ｐに実装されている非接触通信用のアンテナは特性が異なる場合がある。また、非接触機能チップＣについても、通信制御回路の特性が異なることが有りうる。
【００６１】
このため、携帯電話機Ｐ内のアンテナと非接触機能チップＣの制御による非接触通信には、その通信特性にばらつきが発生する可能性がある。従って、どのような組み合わせでもサービスに必要な良好なパフォーマンス（非接触通信の性能）を確保するには、種々の携帯電話機Ｐと非接触機能チップＣとのクロステストを行い、そのクロステストの結果に応じて設定を行わなければならない。
【００６２】
以下の実施の形態では、携帯電話機Ｐに実装されている非接触通信用のアンテナ１２の特性を判定し、その判定結果に基づいて携帯電話機Ｐに実装されている非接触通信用のアンテナ１２の特性に応じた通信設定（アンテナ特性設定）を行うものについて説明する。また、以下の説明においては、アンテナ特性設定の例として、アンテナの特性を実際に測定して設定を行う場合と、携帯電話機の機器情報に基づいてアンテナ特性を設定する場合とについて説明する。
【００６３】
まず、携帯電話機Ｐのアンテナ１２の特性を実際に測定してアンテナ特性に応じた通信設定を行う場合について概略的に説明する。
【００６４】
図５は、携帯電話機Ｐのアンテナ１２の特性を実際に測定してアンテナ特性設定を実現する場合の上記非接触機能チップＣにおける構成例を概略的に示す図である。図５に示すように、上記非接触機能チップＣにおける非接触通信のアンテナ特性設定は、アンテナ特性テーブル２２ｂ、アンテナ特性判断部（アンテナ特性判断機能）５２、アンテナ特性設定部（アンテナ特性設定機能）５３、アンテナ特性設定データ部５４、および通信制御回路５５などにより実現される。
【００６５】
上記アンテナ特性テーブル２２ｂは、上記メモリ２２に予め設けられているものであり、後述するアンテナ測定回路６２により測定したアンテナ特性（アンテナ等価回路）の測定データに対応するアンテナ特性の設定内容を示す情報（設定すべきアンテナ特性を判断するためのデータ）が記憶されている。また、上記アンテナ特性テーブル２２ｂは、上述したように書き換え可能な不揮発性メモリに設けられている。従って、上記アンテナ特性テーブル２２ｂは、例えば、運用時におけるサービス内容の変更や非接触通信の相手となる外部装置を含むシステムの仕様変更などに応じて書き換えが可能なようになっている。
【００６６】
上記アンテナ特性判断部５２は、上記アンテナ測定回路６２により測定したアンテナ特性のデータとアンテナ特性テーブル２２ｂに記憶されている情報とに基づいて、当該非接触機能チップＣがアンテナ特性に応じて設定すべき内容（携帯電話機の非接触通信用のアンテナ特性）を判断するものである。上記アンテナ特性判断部５２は、例えば、上記ＣＰＵ２１あるいは上記チップ制御回路２３により実現される機能である。
【００６７】
上記アンテナ特性設定部５３は、携帯電話機に実装されている非接触通信用のアンテナ特性に応じた設定を行うものである。上記アンテナ特性設定部５３では、上記アンテナ特性判断部５２による判断に基づいて上記通信制御回路５５に対して携帯電話機Ｐに実装されている非接触通信用のアンテナ１２の特性に応じた設定データによる設定を行う。上記アンテナ特性設定部５３は、例えば、上記非接触通信部２５あるいは上記チップ制御回路２３により実現される機能である。
【００６８】
上記アンテナ特性設定データ部５４は、上記アンテナ特性設定部５３によって設定されるアンテナ特性に応じた種々の設定データが記憶されるものである。上記アンテナ特性設定データ部５４は、種々のアンテナ特性に応じた種々の設定データ５４ａ、５４ｂ、５４ｃ、５４ｄ、…を有している。各設定データ５４ａ、５４ｂ、５４ｃ、５４ｄ、…は、当該非接触機能チップＣが装着される可能性がある携帯電話機に実装されるアンテナ特性に種類に応じてインストールされる。上記アンテナ特性設定データ部５４は、例えば、上記メモリ２２、上記非接触通信部２５の内部メモリ（図示しない）あるいは上記チップ制御回路２３の内部メモリ（図示しない）などにより実現される。
【００６９】
また、上記アンテナ特性設定データ部５４には、既存の携帯電話機（現時点で当該非接触機能チップＣが装着される可能性がある携帯電話機）に実装されている非接触通信用のアンテナに対応するアンテナ特性の設定データが予めインストールされる領域のほかに、新たな携帯電話機（既存のアンテナ特性とは異なるアンテナ特性を有する非接触機能チップＣが装着される可能性がある携帯電話機）に実装される非接触通信用のアンテナに対応するアンテナ特性の設定データがインストールされる領域が設けられているものとする。
【００７０】
図５に示す例では、上記アンテナ特性設定データ５４ａ、５４ｂ、５４ｃがそれぞれ予めインストールされている既存の携帯電話機Ｐに実装されている非接触通信用のアンテナ１２に対応するアンテナ特性の設定データである。例えば、図５では、設定データ５４ａはメーカＡの携帯電話機に実装されている非接触通信用のアンテナ（あるいはメーカＡのアンテナ）に対応するアンテナ特性の設定データ（以下単にメーカＡと称する）であり、設定データ５４ｂはメーカＢの携帯電話機に実装されている非接触通信用のアンテナ（あるいはメーカＢのアンテナ）に対応するアンテナ特性の設定データ（以下単にメーカＢと称する）の設定データであり、設定データ５４ｃが標準仕様の非接触通信用のアンテナに対応するアンテナ特性の設定データとなっている。
【００７１】
また、図５では、アンテナ特性設定データ５４ｄに新たな携帯電話機に実装される非接触通信用のアンテナに対応するアンテナ特性の設定データを保存するようになっている。この場合、新たなアンテナ特性の設定データがダウンロードされると、そのアンテナ特性の設定データは上記アンテナ特性設定データ５４ｄとして記憶される。また、新たな携帯電話機に実装される非接触通信用のアンテナに対応するアンテナ特性の設定データは、携帯電話機Ｐが外部から取得し、そのデータを非接触機能チップＣにダウンロードするようにすればよい。
【００７２】
上記通信制御回路５５は、ＲＦ回路６１およびアンテナ測定回路６２などを有している。上記通信制御回路５５では、上記通信制御回路３５と同様に、非接触通信を制御する回路であり、上記コネクタ部を介して接続される携帯電話機Ｐ内のアンテナ１２を介して電波の送受信を行う。また、上記通信制御回路５５では、上記アンテナ特性設定部５３が設定するアンテナ特性の設定データに応じて種々の回路設定を行うようになっている。
【００７３】
すなわち、上記アンテナ特性設定部５３によりアンテナ特性の設定データが供給されると、上記通信制御回路５５では、そのアンテナ特性の設定データに応じて、フィルタの定数、ロジック回路のクロック、分周比などの設定を行う。例えば、上記ＲＦ回路６１では、主に、アンテナ特性に応じたトランジスタのゲートへの設定などを行う。
【００７４】
また、上記アンテナ測定回路６２は、携帯電話機に実装されている非接触通信のアンテナの特性を測定するものである。上記アンテナ測定回路６２では、例えば、上記アンテナ１２に対してテスト信号を出力することにより、上記アンテナ１２の等価回路をアンテナ特性を示すデータとして測定するようになっている。さらに、上記アンテナ測定回路６２は、測定したアンテナ特性を示すデータを上記アンテナ特性判断部５２に供給するようになっている。
【００７５】
次に、上記アンテナ測定回路６２によるアンテナ特性の測定について説明する。  
上述したように、携帯電話機Ｐ内に実装されている非接触通信用のアンテナ１２と接続されている。上記非接触機能チップＣが携帯電話機Ｐに装着された状態において、上記非接触機能チップＣ内の通信制御回路５５は、図５に示すように、物理的に上記アンテナ１２に接続されている。
【００７６】
上記通信制御回路５５が上記アンテナ１２に接続された状態において、上記アンテナ測定回路６２は、上記アンテナ１２のアンテナ特性を測定するようになっている。例えば、上記アンテナ測定回路６２は、アンテナ１２のアンテナ特性として、上記アンテナ１２の等価回路７１を測定する。一般に、アンテナの等価回路は、Ｚ＝Ｒ＋ｊＸで表される。このため、上記アンテナ測定回路６２は、上記アンテナ１２にテスト信号を供給することにより、上記アンテナ１２のアンテナ特性として、上述のような等価回路７１を表す式を満たす値を測定する。
【００７７】
具体的には、上記アンテナ測定回路６２は、周波数および電流値の異なる電流をテスト信号として上記アンテナ１２に供給することにより上記のような式で表される等価回路７１の値を測定データとして検出する。また、上記のような測定データは、アンテナ１２のアンテナ特性を示すデータとして上記アンテナ特性判断部５２に供給されるようになっている。
【００７８】
次に、上記アンテナ測定回路６２によるアンテナ特性の測定データに基づくアンテナ特性の判断について説明する。  
上記アンテナ特性判断部５２は、上記アンテナ測定回路６２によるアンテナ特性の測定データとアンテナ特性テーブル２２ｂに記録されている情報とに基づいて設定すべき設定データを判断するようになっている。従って、上記アンテナ特性テーブル２２ｂには、上記アンテナ測定回路６２によるアンテナ１２の等価回路７１の測定データ（測定したアンテナ特性）に基づいて上記通信制御回路５５に設定すべき設定データが判断できるような情報が記録される。
【００７９】
例えば、図５に示すように、アンテナ特性に応じた設定データがメーカごとに設定されている場合、上記アンテナ特性テーブル２２ｂには、各メーカの携帯電話機のアンテナ１２に対する等価回路のデータが記録される。この場合、上記アンテナ特性判断部５２は、測定したアンテナ１２の等価回路７１のデータ（測定データ）と上記アンテナ特性テーブル２２ｂに記憶されている等価回路のデータとを比較し、測定データに対して同一あるいは最も近い数値のアンテナのメーカを判断する。この判断結果は上記アンテナ特性設定部５３に通知される。これにより、上記アンテナ特性設定部５３では、上記アンテナ特性判断部５２により判断したメーカのアンテナ特性設定データ５４ａ、…を上記通信制御回路５５に対して設定することが可能となる。
【００８０】
具体例としては、図５に示すように、上記アンテナ特性設定データ部５４にメーカＡ、メーカＢ、標準設定に対応する設定データとして保持している場合、つまり、非接触機能チップＣが非接触通信用のアンテナ設定としてメーカＡ、メーカＢ、標準設定をサポートしている場合を想定する。
【００８１】
この場合、上記アンテナ特性判断部５２は、上記アンテナ測定回路６２が測定した測定データが上記アンテナ特性テーブル２２ｂに記憶されているメーカＡのデータと最も近ければ当該アンテナ特性をメーカＡと判断し、上記アンテナ測定回路６２が測定した測定データが上記アンテナ特性テーブル２２ｂに記憶されているメーカＢのデータと最も近ければ当該アンテナ特性をメーカＢと判断し、上記アンテナ測定回路６２が測定した測定データが上記アンテナ特性テーブル２２ｂに記憶されている標準設定のデータと最も近ければ当該アンテナ特性を標準設定と判断する。
【００８２】
この結果、非接触機能チップＣでは、携帯電話機Ｐに装着された際に、当該携帯電話機Ｐに実装されている非接触通信用のアンテナ１２のアンテナ特性に応じた通信制御回路５５の設定を行うことができる。
【００８３】
次に、上記非接触機能チップＣにおけるアンテナ特性の測定データに基づくアンテナ特性設定処理の手順について説明する。  
図６は、上記非接触機能チップＣにおけるアンテナ特性の測定データに基づくアンテナ特性設定処理を説明するためのフローチャートである。  
まず、上記非接触機能チップＣが上記携帯電話機Ｐのソケット１３に装着されると、上記非接触機能チップＣと携帯電話機Ｐとは、非接触機能チップＣのコンタクト部２６と携帯電話機Ｐのソケット１３とを介して物理的に接触し、接触通信が可能な状態となる。この際、上記非接触機能チップＣの通信制御回路５５と上記携帯電話機Ｐのアンテナ１２とは物理的に接続される。この状態において、上記非接触機能チップＣのＣＰＵ２１と上記携帯電話機Ｐの制御回路１１とは、相互に認証処理（機器認証処理）を行う（ステップＳ２１）。なお、上記機器認証が他の処理（例えば、通信プロトコル設定処理）により完了している場合には上記ステップＳ２１は省略される。
【００８４】
上記機器認証処理により互いの機器認証が完了すると、上記非接触機能チップＣの非接触通信部２５は、当該携帯電話機Ｐのアンテナ１２に対応するアンテナ特性設定を行う。ここでは、まず、上記通信制御回路５５のアンテナ測定回路６２が携帯電話機Ｐ内のアンテナ１２のアンテナ特性を測定（アンテナの等価回路の測定）を行う。このアンテナ特性の測定において、上記アンテナ測定回路６２は、上記アンテナ１２に対して種々のテスト信号を送信する（ステップＳ２２）。これらのテスト信号に対するアンテナ１２からの出力に基づいて、上記アンテナ測定回路６２は、上記アンテナ１２のアンテナ特性としての等価回路の値を求める（ステップＳ２３）。上記テスト信号により求められたアンテナ１２のアンテナ特性としての等価回路の値は、測定データとして上記アンテナ測定回路６２から上記アンテナ特性判断部５２としてのＣＰＵ２１へ供給される。
【００８５】
上記アンテナ特性判断部５２では、上記アンテナ測定回路６２からの測定データとアンテナ特性テーブルに記憶されているデータとを比較し（ステップＳ２４）、上記アンテナ１２のアンテナ特性を判断する（ステップＳ２５）。
【００８６】
これらの判断結果は、上記アンテナ特性判断部５２からアンテナ特性設定部５３に通知される。上記アンテナ特性設定部５３では、上記アンテナ特性判断部５２によるアンテナ特性の判断結果に基づき、当ギアアンテナ特性に応じた上記アンテナ特性設定データ部５４の設定データ５４ａ、…を用いて上記通信制御回路５５の回路設定を行う（ステップＳ２６）。これにより、上記通信制御回路５５では、最優先通信プロトコルの設定データに基づいて種々の回路設定が行われる。
【００８７】
上記のように、アンテナ特性の測定に基づくアンテナ特性設定処理によれば、携帯電話機内の非接触通信用のアンテナの特性を測定し、その測定データとアンテナ特性テーブルデータに記憶されているデータと比較し、アンテナのアンテナ特性を判断し、その判断に基づいてアンテナ特性に応じた設定データを決定し、そのアンテナ特性に応じた設定データに基づいて非接触通信機能の通信設定を行うようにしたものである。
【００８８】
これにより、上記非接触機能チップＣでは、携帯電話機に実装されているアンテナ特性に応じた設定を行うことができ、携帯電話機の機種によってアンテナの特性が異なる場合であっても安定した非接触通信を実現できる。
【００８９】
さらに、携帯電話機内の非接触通信用のアンテナに対して複数種類のテスト信号を供給することにより当該アンテナの等価回路のデータを測定するようにしたため、さまざまな特性のアンテナに対して最適な通信設定を行うことができる。
【００９０】
さらに、既存のアンテナ特性とは異なる新たなアンテナが出現した場合、携帯電話機から新たなアンテナ特性に対応する設定データをダウンロードして、その設定データに基づく通信設定を追加するようにしたものである。これにより、将来的に、既存のアンテナの特性とは異なる特性を有するアンテナが出現した場合であっても、新たなアンテナの特性に対応する通信設定を容易に実現することが可能である。
【００９１】
さらに、非接触機能チップＣにおいてアンテナ特性を判断するための情報が記憶されるアンテナ特性テーブルは書き換え可能な不揮発性メモリに設けられるようにしたものである。これにより、既存のアンテナの特性とは異なる特性を有するアンテナが出現した場合やアンテナ特性に対応する設定を変更したい場合であっても、アンテナ特性の判断基準を容易に変更することが可能である。
【００９２】
次に、携帯電話機の機器情報に基づいてアンテナ特性設定を行う場合について概略的に説明する。  
図７は、携帯電話機Ｐの機器情報に基づいてアンテナ特性設定を実現する場合の上記非接触機能チップＣにおける構成例を概略的に示す図である。図７に示す例では、上記非接触機能チップＣにおける非接触通信のアンテナ特性設定は、携帯電話機からの機器情報８１、アンテナ特性テーブル２２ｂ、アンテナ特性判断部（アンテナ特性判断機能）８２、アンテナ特性設定部（アンテナ特性設定機能）８３、アンテナ特性設定データ部８４、および通信制御回路８５などにより実現される。
【００９３】
上記機器情報８１は、上記機器情報３１と同様に、携帯電話機Ｐから得られる情報であり、当該非接触機能チップＣを携帯電話機Ｐに装着した際に当該携帯電話機Ｐが供給され、上記メモリ２２に記録される。上記機器情報８１としては、例えば、図７に示すように、当該携帯電話機の仕様情報と、ローカルインフォメーション、ユーザサービス情報などがある。携帯電話機の仕様情報としては、例えば、メーカ名、型番、機能、性能などの情報がある。また、ローカルインフォメーションとしては、例えば、国名、地域、サービスリストなどの情報がある。また、ユーザサービス情報としては、例えば、使用可能サービスの証明書（電子証明書）などの情報がある。なお、アンテナ特性設定のみを行う場合、上記機器情報８１は、アンテナ特性を判断するためのデータのみであっても良い。
【００９４】
上記アンテナ特性テーブル２２ｂは、上記メモリ２２に予め設けられているものであり、携帯電話機Ｐから取得する機器情報８１に対応するアンテナ特性の設定内容を示す情報（設定すべきアンテナ特性を判断するためのデータ）が記憶されている。また、上記アンテナ特性テーブル２２ｂは、上述したように書き換え可能な不揮発性メモリに設けられている。従って、上記アンテナ特性テーブル２２ｂは、例えば、運用時におけるサービス内容の変更や非接触通信の相手となる外部装置を含むシステムの仕様変更などに応じて書き換えが可能なようになっている。
【００９５】
上記アンテナ特性判断部８２は、携帯電話機Ｐから取得する機器情報８１とアンテナ特性テーブル２２ｂに記憶されている情報とに基づいて、当該非接触機能チップＣがアンテナ特性に応じて設定すべき内容（携帯電話機の非接触通信用のアンテナ特性）を判断するものである。上記アンテナ特性判断部８２は、例えば、上記ＣＰＵ２１あるいは上記チップ制御回路２３により実現される機能である。
【００９６】
上記アンテナ特性設定部８３は、携帯電話機に実装されている非接触通信用のアンテナ特性に応じた設定を行うものである。上記アンテナ特性設定部８３では、上記アンテナ特性判断部８２による判断に基づいて上記通信制御回路８５に対して携帯電話機Ｐに実装されている非接触通信用のアンテナ１２の特性に応じた設定データによる設定を行う。上記アンテナ特性設定部８３は、例えば、上記非接触通信部２５あるいは上記チップ制御回路２３により実現される機能である。
【００９７】
上記アンテナ特性設定データ部８４は、上記アンテナ特性設定部８３によって設定されるアンテナ特性に応じた種々の設定データが記憶されるものである。上記アンテナ特性設定データ部８４は、種々のアンテナ特性に応じた種々の設定データ８４ａ、８４ｂ、８４ｃ、８４ｄ、…を有している。各設定データ８４ａ、８４ｂ、８４ｃ、８４ｄ、…は、当該非接触機能チップＣが装着される可能性がある携帯電話機に実装されるアンテナ特性に種類に応じてインストールされる。上記アンテナ特性設定データ部８４は、例えば、上記メモリ２２、上記非接触通信部２５の内部メモリ（図示しない）あるいは上記チップ制御回路２３の内部メモリ（図示しない）などにより実現される。
【００９８】
また、上記アンテナ特性設定データ部８４には、既存の携帯電話機（現時点で当該非接触機能チップＣが装着される可能性がある携帯電話機）に実装されている非接触通信用のアンテナに対応するアンテナ特性の設定データが予めインストールされる領域のほかに、新たな携帯電話機（既存のアンテナ特性とは異なるアンテナ特性を有する非接触機能チップＣが装着される可能性がある携帯電話機）に実装される非接触通信用のアンテナに対応するアンテナ特性の設定データがインストールされる領域が設けられているものとする。
【００９９】
図７に示す例では、図５に示す例と同様に、上記アンテナ特性設定データ８４ａ、８４ｂ、８４ｃがそれぞれ予めインストールされている既存の携帯電話機Ｐに実装されている非接触通信用のアンテナ１２に対応するアンテナ特性の設定データである。図７では、設定データ８４ａはメーカＡの携帯電話機に実装されている非接触通信用のアンテナ（あるいはメーカＡのアンテナ）に対応するアンテナ特性の設定データ（以下単にメーカＡと称する）であり、設定データ８４ｂはメーカＢの携帯電話機に実装されている非接触通信用のアンテナ（あるいはメーカＢのアンテナ）に対応するアンテナ特性の設定データ（以下単にメーカＢと称する）の設定データであり、設定データ５４ｃが標準仕様の非接触通信用のアンテナに対応するアンテナ特性の設定データとなっている。
【０１００】
また、図７では、図５と同様に、アンテナ特性設定データ８４ｄに新たな携帯電話機に実装される非接触通信用のアンテナに対応するアンテナ特性の設定データを保存するようになっている。この場合、新たなアンテナ特性の設定データがダウンロードされると、そのアンテナ特性の設定データは設定データ８４ｄとして記憶される。また、新たな携帯電話機に実装される非接触通信用のアンテナに対応するアンテナ特性の設定データは、携帯電話機Ｐが外部から取得し、そのデータを非接触機能チップＣにダウンロードするようにすればよい。
【０１０１】
上記通信制御回路８５は、上記通信制御回路３５及び５５と同様に、非接触通信を制御する回路であり、上記コネクタ部を介して接続される携帯電話機Ｐ内のアンテナ１２を介して電波の送受信を行う。また、上記通信制御回路８５では、上記通信制御回路５５と同様に、上記アンテナ特性設定部８３が設定するアンテナ特性の設定データに応じて種々の回路設定を行うようになっている。
【０１０２】
次に、携帯電話機Ｐの機器情報に基づくアンテナ特性の判断について説明する。  
上記アンテナ特性判断部８２は、携帯電話機Ｐから取得する機器情報８１とアンテナ特性テーブル２２ｂに記録されている情報とに基づいて設定すべき設定データを判断するようになっている。従って、上記アンテナ特性テーブル２２ｂには、携帯電話機Ｐから取得する機器情報８１に基づいて上記通信制御回路８５に設定すべき設定データが判断できるような情報が記憶されている。
【０１０３】
例えば、図７に示すように、アンテナ特性に応じた設定データがメーカごとに設定されている場合、上記アンテナ特性テーブル２２ｂには、各メーカの携帯電話機や携帯電話機のアンテナ１２に関するデータが記憶される。この場合、上記アンテナ特性判断部８２は、携帯電話機から取得する機器情報と上記アンテナ特性テーブル２２ｂに記憶されているデータとを比較し、機器情報に合致する携帯電話機のメーカ（あるいは携帯電話機に実装されているアンテナのメーカ）を判断する。この判断結果は上記アンテナ特性設定部８３に通知される。これにより、上記アンテナ特性設定部８３では、上記アンテナ特性判断部８２により判断したメーカの設定データ５４ａ、…を上記通信制御回路８５に対して設定することが可能となる。
【０１０４】
具体例としては、図７に示すように、上記アンテナ特性設定データ部８４にメーカＡ、メーカＢ、標準設定に対応する設定データが保持されている場合、つまり、非接触機能チップＣが非接触通信用のアンテナ１２の設定としてメーカＡ、メーカＢ、標準設定をサポートしている場合を想定する。
【０１０５】
この場合、上記アンテナ特性判断部８２は、携帯電話機の機器情報が上記アンテナ特性テーブル２２ｂに記憶されているメーカＡのデータと合致すれば当該アンテナ特性をメーカＡと判断し、携帯電話機の機器情報が上記アンテナ特性テーブル２２ｂに記憶されているメーカＢのデータと合致すれば当該アンテナ特性をメーカＢと判断し、携帯電話機の機器情報が上記アンテナ特性テーブル２２ｂに記憶されている標準設定のデータと合致すれば当該アンテナ特性を標準設定と判断する。
【０１０６】
この結果、非接触機能チップＣでは、携帯電話機に装着された際に、当該携帯電話機Ｐに実装されている非接触通信用のアンテナ１２のアンテナ特性に応じた通信制御回路３５の設定を行うことができる。
【０１０７】
次に、上記非接触機能チップＣにおける携帯電話機の機器情報に基づくアンテナ特性設定処理の手順について説明する。  
図８は、上記非接触機能チップＣにおける携帯電話機の機器情報に基づくアンテナ特性設定処理を説明するためのフローチャートである。  
まず、上記非接触機能チップＣが上記携帯電話機Ｐのソケット１３に装着されると、上記非接触機能チップＣと携帯電話機Ｐとは、非接触機能チップＣのコンタクト部２６と携帯電話機Ｐのソケット１３とを介して物理的に接触し、接触通信が可能な状態となる。この際、上記非接触機能チップＣの通信制御回路３５と上記携帯電話機Ｐのアンテナ１２とは物理的に接続される。この状態において、上記非接触機能チップＣのＣＰＵ２１と上記携帯電話機Ｐの制御回路１１とは、相互に認証処理（機器認証処理）を行う（ステップＳ３１）。なお、上記機器認証が他の処理（例えば、通信プロトコル設定処理）により完了している場合には上記ステップＳ３１は省略される。
【０１０８】
上記機器認証処理により互いの機器認証が完了すると、上記非接触機能チップＣの非接触通信部２５は、当該携帯電話機Ｐのアンテナ１２に対応するアンテナ特性設定を行う。ここでは、上記携帯電話機Ｐの制御回路１１が図示しないメモリに記憶している当該携帯電話機Ｐの機器情報８１を読み出し、上記ソケット１３に装着された非接触機能チップＣへ接触通信にて送信するものとする。これに対して、上記非接触機能チップＣでは、上記接触通信部２４により上記携帯電話機Ｐからの機器情報８１を受信する（ステップＳ３２）。なお、上記携帯電話機Ｐの機器情報８１は、上記非接触機能チップＣから携帯電話機Ｐへ要求するようにしても良い。この場合、上記非接触機能チップＣのＣＰＵ２１が上記接触通信部２４により携帯電話機Ｐの制御回路１１に要求し、その要求に応じて上記携帯電話機Ｐの制御回路１１が機器情報８１を転送する。
【０１０９】
上記接触通信部２４により上記携帯電話機Ｐから機器情報３１を受信すると、上記非接触機能チップＣのＣＰＵ２１は、受信した機器情報８１をメモリ２２に記憶する（ステップＳ３３）。上記メモリ２２に携帯電話機Ｐの機器情報８１を記憶すると、上記非接触機能チップＣのアンテナ特性判断部８２としてのＣＰＵ２１は、携帯電話機Ｐから取得した機器情報８１と上記アンテナ特性テーブル２２ｂに記憶されている情報とを比較し（ステップＳ３４）、上記アンテナ１２のアンテナ特性（図７の例では、携帯電話機あるいは携帯電話機内のアンテナ１２のメーカ）を判断する（ステップＳ３５）。
【０１１０】
これらの判断結果は、上記アンテナ特性判断部８２からアンテナ特性設定部８３に通知される。上記アンテナ特性設定部８３では、上記アンテナ特性判断部８２によるアンテナ特性の判断結果に基づき、当該アンテナ特性に応じた上記アンテナ特性設定データ部８４の設定データ５４ａ、…を用いて上記通信制御回路８５の回路設定を行う（ステップＳ３６）。
【０１１１】
上記のように、携帯電話機の機器情報に基づくアンテナ特性設定処理によれば、携帯電話機内の非接触通信用のアンテナに対して複数種類のテスト信号を供給することにより当該アンテナの等価回路のデータを測定し、その測定データとアンテナ特性テーブルデータに記憶されているデータと比較し、アンテナのアンテナ特性を判断し、その判断に基づいてアンテナ特性設定データを決定し、そのアンテナ特性設定データに基づいて非接触通信機能の通信設定を行うようにしたものである。
【０１１２】
これにより、上記非接触機能チップＣでは、携帯電話機に実装されているアンテナ特性に応じた設定を行うことができ、携帯電話機の機種によってアンテナの特性が異なる場合であっても安定した非接触通信を実現できる。
【０１１３】
さらに、携帯電話機の機器情報に基づいてアンテナの特性を判断して設定を行うようにしたため、携帯電話機やアンテナのメーカに応じて予め用意されている設定データに基づいて、簡単に、最適な設定データに基づく通信設定を行うことができる。
【０１１４】
さらに、既存のアンテナ特性とは異なる新たなアンテナが出現した場合、携帯電話機から新たなアンテナ特性に対応する設定データをダウンロードして、その設定データに基づく通信設定を追加するようにしたものである。これにより、将来的に、既存のアンテナの特性とは異なる特性を有するアンテナが出現した場合であっても、新たなアンテナの特性に対応する通信設定を容易に実現することが可能である。
【０１１５】
さらに、非接触機能チップＣにおいてアンテナ特性を判断するための情報が記憶されるアンテナ特性テーブルは書き換え可能な不揮発性メモリに設けられるようにしたものである。これにより、既存のアンテナの特性とは異なる特性を有するアンテナが出現した場合やアンテナ特性に対応する設定を変更したい場合であっても、アンテナ特性の判断基準を容易に変更することが可能である。
【０１１６】
なお、上述した実施の形態では、携帯電話機の機器情報を取得し、その機器情報に基づいて通信プロトコルやアンテナ特性などの通信設定を行うものについて説明したが、これに限らず、上記のような携帯電話機との通信機能を有する電子装置としてのチップが、携帯電話機に装着された際に当該携帯電話機の機器情報を取得し、その携帯電話機の機器情報に基づく当該携帯電話機の仕様やサービス用途に応じた通信設定以外の種々の設定を判断し、その判断に基づいて種々の設定を行うようにすることも可能である。
【符号の説明】
【０１１７】
Ｐ…携帯電話機（携帯端末機器）、Ｃ…非接触機能チップ（電子装置）、ＲＷ…リーダライタ（外部装置）、１２…アンテナ、２１…ＣＰＵ、２２…メモリ、２２ａ…機器情報テーブル、２２ｂ…アンテナ特性テーブル（記憶手段）、２４…接触通信部、２５…非接触通信部、３１…機器情報、３２…通信プロトコル判断部、３３…通信プロトコル設定部、３４…通信プロトコル設定データ部、３５…通信制御回路、４２…通信プロトコル制御回路、５２…アンテナ特性判断部（判断手段）、５３…アンテナ特性設定部（設定手段）、５４…アンテナ特性設定データ部、５５…通信制御回路、６２…アンテナ測定回路（測定手段）、７１…等価回路、８１…機器情報、８２…アンテナ特性判断部（判断手段）、８３…アンテナ特性設定部（設定手段）、８４…アンテナ特性設定データ部、８５…通信制御回路
【図１】
0004719285.tif 000002
【図２】
0004719285.tif 000003
【図３】
0004719285.tif 000004
【図４】
0004719285.tif 000005
【図５】
0004719285.tif 000006
【図６】
0004719285.tif 000007
【図７】
0004719285.tif 000008
【図８】
0004719285.tif 000009